(57)【要約】【課題】  太陽光や車両ライト光の反射効率を高めることにより、暗闇における存在感と認識力を向上させ、災害発生時の事故防止や、夜間における交通事故や犯罪発生を防止することができる防災遊着・三変四彩衣を提供すること。【解決手段】  本発明の防災遊着・三変四彩衣は、衣服を形成する基材上に、蓄光剤を使用した文字や図形からなる第一表示部と、反射性粉末ビーズと透過性接着剤とで構成する文字や図形からなる第二図柄とを施したことを特徴とする。また前記第一表示部と第二表示部との表面にフォトクロミックインキを施した。【選択図】      図１
2006138054.tif 000002
【特許請求の範囲】
【請求項１】
衣服を形成する基材上に、蓄光剤を使用した文字や図柄からなる第一表示部と、反射性粉末ビーズと透過性接着剤とで構成する文字や図柄からなる第二表示部とを施したことを特徴とする防災遊着・三変四彩衣。
【請求項２】
前記反射性粉末ビーズは、透過性を有するガラスまたは樹脂にて形成される請求項１記載の防災遊着・三変四彩衣。
【請求項３】
前記反射性粉末ビーズに蛍光塗料を混入させた防災遊着・三変四彩衣。
【請求項４】
前記第一表示部と第二表示部との表面にフォトクロミックインキを施した請求項１または２記載の防災遊着・三変四彩衣。
【発明の詳細な説明】
【技術分野】
【０００１】  本発明は、紫外線、光反射、暗闇などの自然状況に応じて、着衣が三回化学変化して四回色彩が異なる防災遊着・三変四彩衣に関する。
【背景技術】
【０００２】  従来、広い蛍光面積を有して十分な安全性を確保することができるものでありながら、着用者の行動の妨げとなることがない安全衣類がある（例えば、特許文献１参照）。
上掲特許文献１には、橙色の上着の前側上部に発光染料で着色された橙色の布片を縫い付け、また後側には、発光染料又は反射染料で着色された橙色のＶ字状布を縫い付け、さらに、必要に応じて袖及びズボンにも同色の発光布を縫い付けることが記載されている。さらに、既存の防災衣には発光染料もしくは反射染料で着色された布片を縫い付けた構造であった。
【特許文献１】特開平０８−１５８１１９号公報（第１−２頁、図１）
【発明の開示】
【発明が解決しようとする課題】
【０００３】  しかしながら、上述構成の安全衣類においては、蛍光布片を反射させることで、夜間に十分な安全性を確保されるが、蛍光布片の反射効率や発光輝度の面において、十分な効力を発揮するまでには至らなかった。【０００４】  そこで本発明は上記の点に鑑み、太陽光や車両ライト光の反射効率を高めることにより、暗闇における存在感と認識力を向上させ、災害発生時の事故防止や、夜間における交通事故や犯罪発生を防止することができ、さらには、重厚な防災作業服ではなく、一般の人達が着る普段着に防災用印刷技術と変色特殊技術とを加味させた防災遊着・三変四彩衣を提供することにある。
【課題を解決するための手段】
【０００５】  上記課題を解決するために、本発明の防災遊着・三変四彩衣は、衣服を形成する基材上に、蓄光剤を使用した文字や図形からなる第一表示部と、反射性粉末ビーズと透過性接着剤とで構成する文字や図形からなる第二表示部とを施したことを特徴とする。また前記反射性粉末ビーズは、透過性を有するガラスまたは樹脂にて形成される。また前記反射性粉末ビーズに蛍光塗料を混入させた。さらには、前記第一表示部と第二表示部との表面にフォトクロミックインキを施した。
【発明の効果】
【０００６】  基材上に施された第一表示部により、日中の太陽光や照明器具の光を蓄光し、暗闇で蛍光色を自然発光させることができる。また第二表示部により、外部からの光を反射させ、文字や図柄をキラキラと輝かせることができる。また反射性粉末ビーズに蛍光塗料を混入させたことで、第二表示部が暗闇でも自然発光する。さらに、第一表示部と第二表示部との表面にフォトクロミックインキを施したことで、室内においては無色であるが、屋外で太陽光を照射させることで鮮明な色彩を発することができる。そのことにより、紫外線、光反射、暗闇などの自然状況に応じて、着衣が三回化学変化して四回色彩を変えることが可能となる。
【発明を実施するための最良の手段】
【０００７】  以下、本発明における防災遊着・三変四彩衣の詳細を図面に基づいて説明する。
図１は、本発明における防災遊着・三変四彩衣の拡大断面図であり、かかる防災遊着・三変四彩衣１は、衣服を形成する基材２上に、蓄光剤を使用した文字や図柄からなる第一表示部３と、反射性粉末ビーズ５と透過性接着剤６とで構成する文字や図柄からなる第二表示部４とを施したことを特徴とする。
【０００８】  また前記災害対策用衣服１は、重厚な防災作業服ではなく、一般の人達が着る普段着に防災用印刷技術と変色特殊技術とを加味させたことを特徴とする。また前記基材２は織布や不織布にて形成されており、天然繊維、化学繊維、天然繊維と化学繊維属の混紡等の素材からなる。
【０００９】  第一表示部３を形成する蓄光剤は、光を蓄え自然発光が可能な素材、例えば、アルミン酸ストロンチューム系の蓄光剤が挙げられる。またその他、周知の金属化合物や希土類を複数混合させ、汎用の展色剤を混合して生成するものが使用される。
【００１０】  前記蓄光剤は、日中の太陽光や照明器具からの光を蓄光し、暗闇において第一表示部３全体から蛍光色を自然発光させることができる。そのため、地震や天災等の災害が発生し停電した場合でも、暗闇で存在を明確に認識でき、災害対策に多大な功績を付与することができる。
【００１１】  第二表示部４は、反射性粉末ビーズ５と透明接着剤６とを適宜割合で混合することにより形成されている。前記反射性粉末ビーズ５は球形もしくは真球形を呈しており、特に大きさの限定はないが、０．１μｍから１０ｍｍ径程度の範囲であることが好ましい。また前記反射性粉末ビーズ５は透過性を有する素材、特に透明ガラスまたは透明樹脂にて形成されている。
【００１２】  透明接着剤６は、透明性を有するものであれば特に限定はなく、熱硬化性樹脂系、または熱可塑性樹脂系等の合成樹脂接着剤が好ましい。またでんぷん系、たんぱく質系の天然樹脂系の接着剤であってもよい。
【００１３】  前記反射性粉末ビーズ５と透明接着剤６とを適宜割合で混合した第二表示部４を基材２上に施すことにより、外部からの光を反射させ、文字や図柄をキラキラと輝かせることができる。また、夜間、車両のライト光や照明光を効率よく反射させ、着衣した人物の存在や記載された図柄や文字が明確に認識できる。そのことにより、図３に示すように、作業着等に施した場合、夜間における工事作業中の案内等を明確に伝えることができ、交通事故の発生を防ぎ交通渋滞の解消にも貢献できる。さらに、普段着やスポーツウェアー等に施した場、夜間に生じる事故や犯罪の防止にも役立つ。
【００１４】  他の好適例として、前記反射性粉末ビーズ５に蛍光塗料を混入させることが好ましい。蛍光塗料の材質は、外部からの光を吸収し、暗闇で自然発光するものであれば特に限定はない。また、前記反射性粉末ビーズ５の表面に蛍光塗料を塗布してもよい。前記反射性粉末ビーズ５に蛍光塗料を混入させることにより、第二表示部４が暗闇で自然発光することができる。
【００１５】  また、他の好適例として、図２に示すように、第一表示部３と第二表示部４との表面にフォトクロミックインキ７を施すことが好ましい。フォトクロミックインキ７は、物質に光を当てるか、または光を遮断すると、物質の化学構造が変わり、可視部に及ぶ光の吸収スペクトルが変動し、可逆的に発色・消色（または有色から有色）に変化する特徴を有する。前記フォトクロミックインキ７を構成する素材としては、アゾベンゼン色素、シッフ塩基、スピロピラン系色素、テトラクロロケトジヒドロナフタリン、トリフェニルイミダゾイル、チアジン系化合物、ピオロゲン化合物、フルキドなどの数種類の変色機構をもった有機化合物が挙げられる。
【００１６】  前記フォトクロミックインキ７を第一表示部３と第二表示部４との表面に施すことで、室内においては無色であるが、屋外で太陽光を照射させることで、鮮明な色彩を発することができ、デザインや配色面におけても高い芸術性が得られる。なお、前記フォトクロミックインキ７を基布２上に直接施しても良い。
【００１７】  上述の構成により、基材２上に施された第一表示部３により、日中の太陽光や照明器具の光を蓄光し、暗闇で蛍光色を自然発光させることができ、第二表示部４により、外部からの光を反射させ、文字や図柄をキラキラと輝かせることができる。また反射性粉末ビーズ５に蛍光塗料を混入させたことで、第二表示部４が暗闇でも自然発光する。さらに、第一表示部３と第二表示部４との表面にフォトクロミックインキ７を施したことで、室内においては無色であるが、屋外で太陽光を照射させることで鮮明な色彩を発することができる。そのことにより、紫外線、光反射、暗闇などの自然状況に応じて、着衣が三回化学変化して四回色彩を変えることが可能となる。
【図面の簡単な説明】
【００１８】
【図１】本発明の防災遊着・三変四彩衣の拡大断面図である。
【図２】前記防災遊着・三変四彩衣の他の好適例を示す拡大断面図である。
【図３】本発明の防災遊着・三変四彩衣の使用状態を示す正面図である。
【符号の説明】
【００１９】１  防災遊着・三変四彩衣
２  基布
３  第一表示部
４  第二表示部
５  反射性粉末ビーズ
６  透明接着剤
７  フォトクロミックインキ
【図１】
2006138054.tif 000003
【図２】
2006138054.tif 000004
【図３】
2006138054.tif 000005